(57)【特許請求の範囲】
【請求項１】
光を照射する点光源と、長手方向の一端に形成された入光面に前記点光源から入射された光をライン状の光に変換して出射面から照射する長尺状の導光部材と、を備えてなる光照射装置であって、
前記導光部材が円柱形状であり、
前記導光部材の前記出射面において前記入光面近傍のうち前記導光部材の直径に対応する前記入光面からの距離と光量密度との関係に従って前記光量密度が高い領域として予め定められた一部の領域のみに、光が拡散する光拡散形状として凹凸がシボ加工によって連続的に形成されており、前記シボ加工により形成される前記凹凸の量が、前記入光面から長手方向の他端に向けて減少することを特徴とする光照射装置。
【請求項２】
請求項１に記載の光照射装置と、前記光照射装置から原稿に前記ライン状の光が照射されたときの反射光を受光して前記原稿の画像データを読み取る画像読取手段と、を備えてなる画像読取装置。
【請求項３】
請求項１に記載の光照射装置と、前記光照射装置から原稿に前記ライン状の光が照射されたときの反射光を受光して前記原稿の画像データを読み取る画像読取手段と、前記画像読取手段によって読み取られた画像データに基づいて画像を形成する画像形成手段と、を備えてなる画像形成装置。
【発明の詳細な説明】
【技術分野】
【０００１】
本発明は、ＬＥＤなどの点光源から入射された光をライン状の光に変換して照射する光照射装置、並びにこれを備えた画像読取装置及び画像形成装置に関するものである。
【背景技術】
【０００２】
一般に、原稿に光を照射したときの反射光をＣＣＤなどのイメージセンサー（光電変換素子）で受光して電気信号に変換することにより原稿の画像データを読み取る画像読取装置が知られている。具体的には、光を照射するＬＥＤ等の点光源と、その点光源から長手方向の一端に形成された入光面に入射された光をライン状の光に変換して出射面から照射する長尺状の導光部材とを備えた画像読取装置が知られている（例えば、特許文献１参照）。
この種の画像読取装置では、読み取った画像データにおける濃度ムラや色味ムラなどの不具合を防止するために、導光部材から一定照度のライン状の光を原稿に照射させることが重要である。ところが、導光部材の出射面の長手方向において入光面近傍の位置から照射される光は導光部材における反射回数が比較的少ない光である。これに対し、長手方向において入光面から他端側に離れた位置から照射される光は導光部材において多数反射した光である。
そのため、例えば図４に示すように、入光面近傍では原稿に照射される光の照度（光量密度［lx/mm２］）が入光面から離れた位置に比べて高くなり、導光部材から照度が均一なライン状の光を照射させることができないことが問題となる。そこで、例えば特許文献１では、出射面のうち光源に近いエリアのみに長手方向に稜線を成す筋やドット状の凹凸を形成し、出射面から照射される光を拡散させることが提案されている。
【先行技術文献】
【特許文献】
【０００３】
【特許文献１】特開２００８−１４０７２６号公報
【発明の概要】
【発明が解決しようとする課題】
【０００４】
しかしながら、導光部材の出射面に長手方向に稜線を成す筋やドット上の凹凸を形成することによって得られる拡散率は十分に高いものとは言えない。そのため、例えば装置の組立調整段階での光軸ズレやコンタクトガラス上に載置された原稿に浮きが生じている場合には、導光部材から照射されるライン状の光の照度にムラが生じ、読み取った画像データに濃度ムラや色味ムラなどが生じる。また、例えば図５に示すように、導光部材では入光面に近いほど副走査方向（短手方向）の光量分布のピークが鋭くなる。この点も、装置の組立調整段階での光軸ズレや原稿に浮きが生じている場合に生じる濃度ムラや色味ムラなどの原因となる。
従って、本発明は前記事情に鑑みてなされたものであり、その目的とするところは、点光源から入射される光を十分に拡散されたライン状の光に変換して照射することのできる光照射装置、並びにこれを備えた画像読取装置及び画像形成装置を提供することにある。
【課題を解決するための手段】
【０００５】
前記目的を達成するために本発明は、光を照射する点光源と、長手方向の一端に形成された入光面に前記点光源から入射された光をライン状の光に変換して出射面から照射する長尺状の導光部材と、を備えてなる光照射装置であって、前記導光部材の前記出射面に、光が拡散する光拡散形状がシボ加工によって形成されてなることを特徴とする光照射装置として構成される。なお、前記シボ加工は、前記導光部材の前記出射面の表面に微細な凹凸を形成する表面加工である。
本発明によれば、前記シボ加工によって高い拡散率を有する光拡散形状が前記導光部材の前記出射面に形成されるため、前記点光源から入射される光を十分に拡散されたライン状の光に変換して照射することができる。従って、前記光照射装置を用いた画像読取装置や画像形成装置では、例えば原稿が浮いている場合などでも、読み取られる画像データの濃度ムラや色味ムラを抑制することができる。
ここで、前記光拡散形状は、前記導光部材の前記出射面において前記入光面近傍の予め定められた一部の領域のみに形成されてなることが考えられる。これにより、前記出射面のうち出射される光の照度が比較的高い前記一部の領域のみにおいて前記光拡散形状で十分に光を拡散させることにより、前記出射面から照射されるライン状の光の照度を均一化することが可能となる。
また、前記光拡散形状は、前記導光部材の前記出射面全域に形成されてなることも考えられる。この場合、前記出射面において光の拡散率が明確に変化する境界が存在しなくなる。そのため、前記光照射装置を用いた画像読取装置や画像形成装置で読み取られる画像データについて、拡散率の境界の存在に起因する画質低下が抑制される。
一方、前記光拡散形状は、前記導光部材の前記出射面において前記入光面から長手方向の他端に向けて光拡散率が低下するものであることが考えられる。これにより、前記出射面における光の拡散率が徐々に変化して明確な境界が存在しなくなる。そのため、前記光照射装置を用いた画像読取装置や画像形成装置で読み取られる画像データについて、拡散率の境界の存在に起因する画質低下が抑制される。
【０００６】
また、本発明は、光を照射する点光源と、長手方向の一端に形成された入光面に前記点光源から入射された光をライン状の光に変換して出射面から照射する長尺状の導光部材と、前記導光部材の前記出射面から出射される光を拡散する光拡散シートと、を備えてなる光照射装置であって、前記光拡散シートは、前記導光部材の長手方向の光の拡散率に比べて副走査方向の光の拡散率が高い異方性光拡散シートであることを特徴とする光照射装置として構成される。
このように構成された光照射装置では、長手方向の光の拡散を抑制して光の利用効率を低下させることなく、副走査方向に光を拡散して光量分布の傾きを緩やかにすることができる。また、このような光照射装置を用いた画像読取装置や画像形成装置でも、原稿が浮いている場合などに読み取られる画像データの濃度ムラや色味ムラが抑制される。
ここで、前記異方性光拡散シートは、前記出射面に貼付されたものであることが考えられる。また、前記異方性光拡散シートは、前記出射面から離間した位置に配置されたものであることも考えられる。即ち、前記光照射装置による照射対象と前記導光部材との間に前記異方性光拡散シートが設けられる。
前記異方性光拡散シートが前記出射面から離間した位置に配置される場合、前記異方性光拡散シートは、前記導光部材の前記出射面において前記入光面近傍の予め定められた一部の領域に対向する箇所のみに配置することが考えられる。これにより、前記一部の領域とその他の領域との境界の存在に起因する画質低下を抑制することができる。
【０００７】
そして、本発明は、前記光照射装置を備えてなる画像読取装置又は画像形成装置の発明として捉えてもよい。即ち、本発明は、前記光照射装置と、前記光照射装置から原稿に前記ライン状の光が照射されたときの反射光を受光して前記原稿の画像データを読み取る画像読取手段と、を備えてなる画像読取装置として捉えることができる。また、本発明は、前記光照射装置と、前記光照射装置から原稿に前記ライン状の光が照射されたときの反射光を受光して前記原稿の画像データを読み取る画像読取手段と、前記画像読取手段によって読み取られた画像データに基づいて画像を形成する画像形成手段と、を備えてなる画像読取装置として捉えることができる。
【発明の効果】
【０００８】
本発明によれば、シボ加工によって高い拡散率を有する光拡散形状が前記導光部材の前記出射面に形成される構成により、前記点光源から入射される光を十分に拡散されたライン状の光に変換して照射することができる。また、前記異方性光拡散シートを備える構成により、長手方向の光の拡散を抑制して光の利用効率を低下させることなく、副走査方向に光を拡散して光量分布の傾きを緩やかにすることができる。従って、本発明に係る前記光照射装置を備える画像読取装置や画像形成装置では、例えば原稿が浮いている場合などでも、読み取られる画像データの濃度ムラや色味ムラを抑制することができる。
【図面の簡単な説明】
【０００９】
【図１】本発明の実施の形態に係る複合機Ｘの概略構成を示す模式図。
【図２】ＬＥＤ光源１２１の概略構成を示す模式図。
【図３】導光部材１２４の概略構成を示す模式図。
【図４】入光面からの距離と光量密度との関係の一例を示す図。
【図５】副走査位置の光量分布の一例を示す図。
【発明を実施するための形態】
【００１０】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１１】
＜複合機Ｘの概略構成＞
まず、図１を参照しつつ、本発明の実施の形態に係る複合機Ｘ（画像読取装置、画像形成装置の一例）の概略構成について説明する。ここに、図１（Ａ）は前記複合機Ｘの正面模式断面図、図１（Ｂ）は図１（Ａ）におけるＤ−Ｄ矢視図である。なお、本発明は、複合機（ＭＦＰ）に限らず、画像読取機能を有するスキャナ装置、ファクシミリ装置又は複写機などの画像読取装置又は画像形成装置に適用することができる。
図１に示すように、前記複合機Ｘは、画像読取部１、ＡＤＦ（自動原稿送り装置）２、画像形成部３、給紙カセット４、制御部５、及び操作表示部６などを備えている。
前記制御部５は、ＣＰＵ、ＲＯＭ、ＥＥＰＲＯＭなどの制御機器を有している。前記制御部５は、前記ＲＯＭに記憶された制御プログラムに従って前記ＣＰＵが各種の処理を実行することにより前記複合機Ｘを統括的に制御する。前記操作表示部６は、各種の情報を表示する液晶ディスプレイとユーザーによる各種の操作入力が行われるタッチパネル及び操作ボタンとを有している。
【００１２】
前記画像形成部３は、前記画像読取部１で読み取られる画像データ、又は外部の情報処理装置（パーソナルコンピュータ等）から入力された画像データなどに基づいて画像形成処理（印刷処理）を実行する電子写真方式の画像形成手段である。
具体的に、前記画像形成部３は、感光体ドラム３１、帯電装置３２、現像装置３３、トナーコンテナ３４、転写ローラー３５、除電装置３６、定着ローラー３７、加圧ローラー３８などを備えている。そして、前記画像形成部３では、前記給紙カセット４から供給される用紙に以下の手順で画像が形成される。
まず、前記帯電装置３２によって前記感光体ドラム３１が所定の電位に一様に帯電される。次に、不図示のレーザスキャナユニット（ＬＳＵ）により前記感光体ドラム３１の表面に画像データに基づく光が照射される。これにより、前記感光体ドラム３１の表面に静電潜像が形成される。そして、前記感光体ドラム３１上の静電潜像は前記現像装置３３によってトナー像として現像（可視像化）される。なお、前記現像装置３３には、前記トナーコンテナ３４からトナーが補給される。続いて、前記感光体ドラム３１に形成されたトナー像は前記転写ローラー３５によって用紙に転写される。その後、用紙に転写されたトナー像は、その用紙が前記定着ローラー３７及び前記加圧ローラー３８の間を通過して排出される際に前記定着ローラー３７で加熱されて溶融定着する。なお、前記感光体ドラム３１の電位は前記除電装置３６で除電される。ここでは前記画像形成部３がモノクロ対応である場合について説明するが、もちろん前記画像形成部３はカラー対応の画像形成部であってもよい。
【００１３】
前記画像読取部１は、原稿から画像データを読み取る画像読取手段であって、図１（Ａ）に示すように、コンタクトガラス１１、読取ユニット１２、ミラー１３、１４、光学レンズ１５、及びＣＣＤ（Charge  Coupled  Device）１６などを備えている。
また、前記ＡＤＦ２は、原稿セット部２１、複数の搬送ローラー２２、原稿押さえ２３、及び排紙部２４などを備えている。前記ＡＤＦ２は、前記搬送ローラー２２各々を不図示のモーターで駆動させることにより、前記原稿セット部２１にセットされた原稿Ｐを前記コンタクトガラス１１上の読取位置１２Ａを通過させて前記排紙部２４まで搬送させる。
前記コンタクトガラス１１は、前記画像読取部１の上面に設けられており、前記複合機Ｘの画像読取対象となる原稿Ｐが載置される透明な原稿台である。
前記読取ユニット１２は、ＬＥＤ光源１２１及びミラー１２２を備えており、ステッピングモーター等の駆動モーターを用いた不図示の移動機構によって図１（Ａ）における左右方向（副走査方向）へ移動可能に構成されている。そして、前記駆動モーターにより前記読取ユニット１２が副走査方向に移動されると、前記ＬＥＤ光源１２１から前記コンタクトガラス１１上に照射される光が副走査方向に走査される。
前記ＬＥＤ光源１２１は、前記コンタクトガラス１１上の読取位置１２Ａに対して白色光を照射するものであり、本発明に係る光照射装置の一例である。本発明の実施の形態に係る前記複合機Ｘは、前記ＬＥＤ光源１２１の構成に特徴を有しており、この点については後段で詳述する。
前記ミラー１２２は、前記ＬＥＤ光源１２１から読取位置１２Ａにある原稿Ｐ又は後述の原稿押さえ２３に光を照射したときの反射光を前記ミラー１３に向けて反射させる。なお、前記読取位置１２Ａは、前記読取ユニット１２の副走査方向への移動に伴って副走査方向に移動する。そして、前記ミラー１２２で反射した光は、前記ミラー１３、１４によって前記光学レンズ１５に導かれる。前記光学レンズ１５は、入射した光を集光して前記ＣＣＤ１６に入射させる。
前記ＣＣＤ１６は、受光した光をその光量に応じた電気信号（電圧）に変換し、画像データとして出力する光電変換素子を有している。具体的に、前記複合機Ｘにおいて、前記ＣＣＤ１６は、前記ＬＥＤ光源１２１から光が照射されたときに前記原稿Ｐから反射した反射光に基づいて前記原稿Ｐからモノクロ又はカラーの画像データを読み取る。前記ＣＣＤ１６で読み取られた画像データは前記制御部５に入力される。なお、本実施の形態では、光電変換手段として前記ＣＣＤ１６を用いた例について説明するが、前記ＣＣＤ１６よりも焦点距離の短い密着型のイメージセンサー（ＣＩＳ：Contact Image Sensor）を用いてもよい。
【００１４】
＜ＬＥＤ光源１２１＞
以下、図２〜図４を参照しつつ、前記ＬＥＤ光源１２１について詳述する。なお、図２は、前記ＬＥＤ光源１２１及び前記コンタクトガラス１１を副走査方向から見た模式断面図である。
図２に示すように、前記ＬＥＤ光源１２１は、白色光を照射するＬＥＤ１２３（点光源の一例）と、長手方向の一端に形成された入光面１２４Ａに前記ＬＥＤ１２３から入射された光をライン状の光に変換して出射面１２４Ｃから前記コンタクトガラス１１に向けて照射する長尺状の導光部材１２４とを備えている。
前記ＬＥＤ１２３は、例えばＲ（赤）、Ｇ（緑）、Ｂ（青）の各色の光を照射する３つの発光素子を備えている。そして、前記複合機Ｘにおいて、モノクロ画像データが読み取られる場合には前記３つの発光素子が同時に点灯して白色光が出射され、カラー画像データが読み取られる場合には前記３つの発光素子が順に切り替えて点灯する。
前記導光部材１２４は、透光性を有するアクリル樹脂などの材料で略円柱形状（シリンダー状）に成形された部材である。そして、前記導光部材１２４は、前記ＬＥＤ１２３から前記導光部材１２４の入光面１２４Ａに入射される光を、前記導光部材１２４内で反射させながら終端面１２４Ｂまで導く。なお、前記導光部材１２４の直径は、例えば４ｍｍ〜６ｍｍである。
また、図３に示すように、前記導光部材１２４の底面１２４Ｄには、長手方向に所定間隔で微少なプリズム１２４Ｅが形成されている。これにより、前記入光面１２４Ａに入射した光は、前記終端面１２４Ｂに導かれる間に前記プリズム１２４Ｅで反射して前記底面１２４Ｄに対向する前記出射面１２４Ｃからライン状の光として照射される。
【００１５】
ところで、前記導光部材１２４では、前記ＬＥＤ１２３から前記入光面１２４Ａに入射し、前記入光面１２４Ａ近傍の前記出射面１２４Ｃから出射される光の前記導光部材１２４における反射回数は少ない。一方、前記入光面１２４Ａから前記終端面１２４Ｂ側に離れるにつれて、前記出射面１２４Ｃから出射されるまでの光の前記導光部材１２４における反射回数は多くなる。そのため、仮に前記出射面１２４Ｃが全域に亘って同様の光拡散率を有する場合、前記出射面１２４Ｃにおける前記入光面１２４Ａ近傍の領域Ｒ１から原稿に照射される光量は、前記領域Ｒ１よりも前記終端面１２４Ｂ側の領域に比べて多くなる。即ち、前記入光面１２４Ａから前記終端面１２４Ｂ側に近づくに連れて前記出射面１２４Ｃから前記コンタクトガラス１１上に載置された原稿に照射される光量は低下する。
【００１６】
そのため、前記導光部材１２４では、前記出射面１２４Ｃにおける前記入光面１２４Ａ近傍の前記領域Ｒ１に、光を拡散する微少な凹凸（光拡散形状に相当）がシボ加工によって形成されている。なお、前記領域Ｒ１は、前記導光部材１２４の直径などに応じて予め定められた一部の領域であり、例えば図４に示す入光面からの距離と光量密度との関係に従って予め定めておけばよい。具体的に、前記導光部材１２４の直径が６ｍｍである場合、図４に示す関係に基づいて、前記入光面１２４Ａから７〜８ｍｍ程度の光量密度の高い領域を前記領域Ｒ１として定めることが考えられる。もちろん、このような前記入光面１２４Ａ近傍の数ｍｍ程度の局所的な領域ではなく前記出射面１２４Ｃの全長の１／２〜１／３程度の領域を前記領域Ｒ１として定めることも考えられる。
なお、前記導光部材１２４に対して前記シボ加工を施す手法としては、前記導光部材１２４を成型する金型における前記領域Ｒ１に対応する箇所に化学薬品を塗布して腐食させることにより微細な凹凸を形成する従来のシボ加工技術を用いればよい。このような前記金型を一度製作すれば、前記出射面１２４Ｃにシボ加工が施された前記導光部材１２４を低コストで繰り返し製造することができる。また、前記金型に化学薬品を塗布するシボ加工を採用することにより、前記金型に工具で筋や凹凸を形成する場合に比べて作業を容易且つ短時間で行うことができる。
【００１７】
そして、このように構成された前記導光部材１２４では、前記入光面１２４Ａ近傍の前記領域Ｒ１に形成された微少な凹凸により、前記出射面１２４Ｃにおける前記領域Ｒ１の光の拡散率が格段に高まる。これにより、前記出射面１２４Ｃの前記領域Ｒ１から原稿に照射される光量は減少し、その光量は前記領域Ｒ１よりも前記終端面１２４Ｂ側の領域から原稿に向けて照射される光量に近づく。
従って、前記ＬＥＤ光源１２１では、前記導光部材１２４の前記出射面１２４Ｃ全体から照度が均一なライン状の光を原稿に照射させることができる。さらに、シボ加工により前記領域Ｒ１の十分に拡散率が高められている。そのため、前記複合機Ｘでは、前記ＬＥＤ光源１２１を用いて前記画像読取部１によって読み取られる画像データの濃度ムラや色味ムラを抑制することができる。特に、装置の組立調整段階での光軸ズレや前記コンタクトガラス１１上に載置された原稿の浮きに起因して読み取り画像データに生じる濃度ムラや色味ムラも抑制される。また、前記領域Ｒ１よりも前記終端面１２４Ｂ側の領域にはシボ加工が施されていないため、前記導光部材１２４から照射される光量（入出力効率）の低下も防止される。なお、前記導光部材１２４を前記領域Ｒ１の分だけ長く形成し、前記領域Ｒ１の部分を使用しない構成も考えられるが、前記Ｒ１にシボ加工が施される前記構成によれば、前記導光部材１２４の長手方向を不要に拡張する必要もない。
ここで、前記導光部材１２４の出射面１２４Ｃの領域Ｒ１にシボ加工によって形成される微少な凹凸は、その光拡散率が０度〜３０度である。この光拡散率であれば、光を上手く拡散することができる。
【００１８】
ところで、前記領域Ｒ１に形成される微少な凹凸の密度は前記領域Ｒ１において均一であってもよいが、前記出射面１２４Ｃから原稿に出射される光量は前記入光面１２４Ａ近傍から離れるに連れて低下する。
そのため、前記領域Ｒ１に形成される前記微少な凹凸の量は前記入光面１２４Ａから前記終端面１２４Ｂに向けて徐々に減少していることが望ましい。即ち、前記出射面１２４Ｃに形成される光拡散形状は、前記出射面１２４Ｃにおいて前記入光面１２４Ａから長手方向の他端の前記終端面１２４Ｂに向けて徐々に光拡散率が低下するものであることが望ましい。具体的には、前記金型において前記出射面１２４Ｃに対応する位置に塗布する化学薬品の量を前記入光面１２４Ａから長手方向の他端の前記終端面１２４Ｂに向けて徐々に減少させればよい。これにより、前記出射面１２４Ｃから原稿に照射される光の照度を高い精度で均一化することができる。
【００１９】
また、本実施の形態では、前記出射面１２４Ｃにおける前記入光面１２４Ａ近傍の領域Ｒ１のみにシボ加工を施す場合について説明したが、前記出射面１２４Ｃ全域に、光を拡散する微少な凹凸などの光拡散形状をシボ加工によって形成することも考えられる。この場合でも、前記出射面１２４Ｃ全体から十分に拡散されたライン状の光が照射されるため、前記複合機Ｘで前記画像読取部１によって読み取られる画像データの濃度ムラや色味ムラが抑制される。また、前記出射面１２４Ｃ全体にシボ加工が施される場合には、前記出射面１２４Ｃにおいて前記光拡散形状の有無の境界が生じないため、その境界の存在に起因する画質低下を防止することができる。
さらに、前記出射面１２４Ｃ全域にシボ加工により前記光拡散形状が形成される構成でも、前記光拡散形状は、前記出射面１２４Ｃにおいて前記入光面１２４Ａから長手方向の他端の前記終端面１２４Ｂに向けて徐々に光拡散率が低下するものであることが望ましい。これにより、前記出射面１２４Ｃから原稿に照射される光の照度を高い精度で均一化することができる。
【００２０】
＜他の実施形態＞
ところで、前記実施の形態で説明したシボ加工に代えて、前記出射面１２４Ｃから出射される光を拡散する拡散シートとして、前記導光部材１２４の長手方向の光の拡散率に比べて副走査方向（短手方向）の光の拡散率が高い異方性光拡散シートを備える構成が考えられる。なお、前記異方性光拡散シートは、前記出射面１２４Ｃの全域に貼付することが考えられる。これにより、前記出射面１２４Ｃから出射される光を前記異方性光拡散シートによって所望の拡散率で拡散させることが可能となる。
特に、前記出射面１２４Ｃにおいて長手方向に光を拡散しすぎると前記出射面１２４Ｃの両端において外側に照射される光が多くなり光の利用効率が低下する。しかしながら、前記異方性光拡散シートを用いれば、前記導光部材１２４の長手方向の光拡散率を抑制して光の利用効率の低下を防止しつつ、前記導光部材１２４の短手方向の拡散率を高めて副走査方向における光量分布の傾きを緩やかにすることができる。また、このように前記出射面１２４Ｃ全域に前記異方性光拡散シートを設ける場合には、前記異方性光拡散シートの端面が前記出射面１２４Ｃと原稿との間に存在しないため、前記異方性光拡散シートの端面の存在に起因する画質低下は防止される。
さらに、前記異方性光拡散シートは、例えば長手方向の光拡散率が０度〜１５度、短手方向の光拡散率が１０度〜３０度であって、望ましくは長手方向の光拡散率が５度、短手方向の光拡散率が２０度である。この光拡散率であれば、光を上手く拡散することができる。
【００２１】
また、前記異方性光拡散シートは、前記導光部材１２４の出射面１２４Ｃに貼付するのではなく、前記出射面１２４Ｃと前記コンタクトガラス１１との間であって前記出射面１２４Ｃから離間した位置に配置されることも他の実施例として考えられる。この場合、仮に前記出射面１２４Ｃと原稿との間に前記異方性光拡散シートの端面が存在する場合であっても、その端面の存在に起因して生じる画質低下が抑制される。
そこで、このように前記出射面１２４Ｃから離間させて前記異方性光拡散シートを配置する場合には、その異方性光拡散シートを前記導光部材１２４の前記入光面１２４Ａ近傍（例えば前記領域Ｒ１）に対応する箇所のみに配置することが考えられる。これにより、前記出射面１２４Ｃにおける前記領域Ｒ１よりも前記終端面１２４Ｂ側の領域における光量の低下が防止される。
【符号の説明】
【００２２】
１  ：画像読取部
１１：コンタクトガラス
１２：読取ユニット
１２Ａ：読取位置
１２１：ＬＥＤ光源
１２２：ミラー
１２３：ＬＥＤ
１２４：導光部材
１２４Ａ：入光面
１２４Ｂ：終端面
１２４Ｃ：出射面
１２４Ｄ：底面
１２４Ｅ：プリズム
１３、１４：ミラー
１５：光学レンズ
１６：ＣＣＤ
２  ：ＡＤＦ
２１：原稿セット部
２２：搬送ローラー
２３：原稿押さえ
２４：排紙部
３  ：画像形成部
４  ：給紙カセット
５  ：制御部
６  ：操作表示部
Ｘ  ：複合機（画像読取装置、画像形成装置の一例）
【図１】
0005791527.tif 000002
【図２】
0005791527.tif 000003
【図４】
0005791527.tif 000004
【図５】
0005791527.tif 000005
【図３】
0005791527.tif 000006